(57)【要約】【課題】簡単に導電部保護カバーの追加設置を行うことができる導電部保護カバーの取付け構造を提供すること。【解決手段】導電部保護カバー６を、分電盤の扉３０と略平行に取付け可能な第一固定面１４と、前記導電部保護カバー７を、分電盤の扉３０と略垂直に取付け可能な第二固定面１５を有するカバー固定部材９を用い、前記第一固定面１４と第二固定面１５の各々に、平板状の導電部保護カバー６、７を着脱自在に備える。【選択図】図２
2014155394.tif 000002
【特許請求の範囲】
【請求項１】
分電盤内の導電部を被覆する導電部保護カバーの取付け構造であって、
前記導電部保護カバーを、分電盤の扉と略平行に取付け可能な第一固定面と、前記導電部保護カバーを、分電盤の扉と略垂直に取付け可能な第二固定面を有するカバー固定部材を用い、
前記第一固定面と第二固定面の各々に、平板状の導電部保護カバーを着脱自在に備えることを特徴とする導電部保護カバーの取付け構造。
【請求項２】
前記第二固定面は前記第一固定面の端部より略垂直に形成したことを特徴とする請求項１記載の導電部保護カバーの取付け構造。
【請求項３】
前記第一固定面と第二固定面の双方と略垂直な第三固定面を有することを特徴とする請求項２記載の導電部保護カバーの取付け構造。
【請求項４】
前記第一固定面もしくは第二固定面の何れか一方を、分電盤の内部機器取付部に固定したことを特徴とする請求項１記載の導電部保護カバーの取付け構造。
【請求項５】
前記導電部が、分電盤内に配置された主幹ブレーカに接続された母線バーであって、
前記第一固定面もしくは第二固定面の何れか一方を、前記母線バー上に固定したことを特徴とする請求項１記載の導電部保護カバーの取付け構造。
【請求項６】
前記第一固定面と第二固定面の、各々に、固定孔を備え、該固定孔の裏側に、薄肉の隔壁部を形成したことを特徴とする請求項４または５記載の導電部保護カバーの取付け構造。
【発明の詳細な説明】
【技術分野】
【０００１】
本発明は、分電盤の導電部を保護する導電部保護カバーの取付け構造に関するものである。
【背景技術】
【０００２】
分電盤の扉を開けて配線作業等を行う際の感電事故防止等を目的として、主幹ブレーカの端子部に接続した母線バー等の導電部に保護カバーを設ける構造が広く採用されている（例えば、特許文献１）。
【０００３】
特許文献１記載の保護カバーは、母線バーを支持するバーホルダと、主幹ブレーカの端子部の上に載置した上で、保護カバーに形成されたネジ孔と、前記バーホルダと端子部の上端に各々形成されたネジ孔を位置合わせしてネジ固定されている。
【０００４】
しかし、特許文献１記載の保護カバーは、専ら導電部の正面（分電盤本体の扉方向）のみを被覆するもの（以下、正面カバー）であり、前記のような保護カバー取付け構造では、事後的に側面の被覆も必要となった際には、分電盤の基板上に、側面カバー取付け用の取付け部材を新たに設置して側面カバーの取付けを行ったり、あるいは、既存の正面カバーに代えて、正面から側面まで一体に被覆できる断面Ｌ字あるいはコ字状の保護カバーを新たに作製する必要があり、何れも、側面カバーの追加設置に手間がかかるという問題があった。
【先行技術文献】
【特許文献】
【０００５】
【特許文献１】特開２０１２−１８２９６３号公報
【発明の概要】
【発明が解決しようとする課題】
【０００６】
本発明の目的は前記の問題を解決し、既設の導電部保護カバーの他に、事後的に他方向を保護する導電部保護カバーの設置が必要となった場合にも、既存の導電部保護カバーに代えて、保護したい複数方向を一体に被覆できる保護カバーを新たに作製する必要がなく、簡単に導電部保護カバーの追加設置を行うことができる導電部保護カバーの取付け構造を提供することである。
【課題を解決するための手段】
【０００７】
上記課題を解決するためになされた本発明の導電部保護カバーの取付け構造は、分電盤内の導電部を被覆する導電部保護カバーの取付け構造であって、前記導電部保護カバーを、分電盤の扉と略平行に取付け可能な第一固定面と、前記導電部保護カバーを、分電盤の扉と略垂直に取付け可能な第二固定面を有するカバー固定部材を用い、前記第一固定面と第二固定面の各々に、平板状の導電部保護カバーを着脱自在に備えることを特徴とするものである。
【０００８】
請求項２記載の発明は、請求項１記載の導電部保護カバーの取付け構造において、前記第二固定面は前記第一固定面の端部より略垂直に形成したことを特徴とするものである。
【０００９】
請求項３記載の発明は、請求項２記載の導電部保護カバーの取付け構造において、前記カバー固定部材は、前記第一固定面と第二固定面の双方と略垂直な第三固定面を有することを特徴とする。
【００１０】
請求項４記載の発明は、請求項１記載の導電部保護カバーの取付け構造において、前記第一固定面もしくは第二固定面の何れか一方を、分電盤の内部機器取付部に固定したことを特徴とするものである。
【００１１】
請求項５記載の発明は、請求項１記載の導電部保護カバーの取付け構造において、前記導電部が、分電盤内に配置された主幹ブレーカに接続された母線バーであって、前記第一固定面もしくは第二固定面の何れか一方を、前記母線バー上に固定したことを特徴とするものである。
【００１２】
請求項６記載の発明は、請求項４または５記載の導電部保護カバーの取付け構造において、前記第一固定面と第二固定面の、各々に、固定孔を備え、該固定孔の裏側に、薄肉の隔壁部を形成したことを特徴とするものである。
【発明の効果】
【００１３】
本発明に係る導電部保護カバーの取付け構造は、前記導電部保護カバーを、分電盤の扉と略平行に取付け可能な第一固定面と、前記導電部保護カバーを、分電盤の扉と略垂直に取付け可能な第二固定面を有するカバー固定部材を用い、前記第一固定面と第二固定面の各々に、平板状の導電部保護カバーを着脱自在に備える構成により、既設の導電部保護カバーの他に、事後的に他方向を保護する導電部保護カバーの設置が必要となった場合にも、既存の導電部保護カバーに代えて、保護したい複数方向を一体に被覆できる保護カバーを新たに作製する必要がなく、簡単に導電部保護カバーの追加設置を行うことができる。
【００１４】
なお、保護したい複数方向を一体に被覆できる保護カバーを用いて、導電部の被覆を行った場合には、何れか、一方向のみの被覆を外すことはできないが、本発明によれば、複数方向に設置された導電部保護カバーは、別箇に取り外しができるため、使用環境に応じて適宜最適な被覆形態へと自在に変更することもできる。
【００１５】
請求項３記載の発明のように、第一固定面と第二固定面の双方と略垂直な第三固定面を有する構造とすることにより、正面の他、異なる２側面から同時にカバーの追加設置を行うことができ、さらに、柔軟な対応が可能となる。
【００１６】
なお、第一固定面もしくは第二固定面の何れか一方を、請求項４記載の発明のように分電盤の基板上に固定したり、請求項５記載の発明のように、母線バー上に固定することで、導電部保護カバーの固定箇所を、適宜自在に変更することもできる。
【００１７】
請求項６記載の発明のように、第一固定面と第二固定面の、各々に、固定孔を備え、該固定孔の裏側に、薄肉の隔壁部を形成することにより、導電部からのネジへの短絡が生じる恐れを低減できると同時に、ネジを貫通させて使用したい場合には、容易にネジを貫通させることができる。
【図面の簡単な説明】
【００１８】
【図１】実施形態１の外観斜視図である。
【図２】実施形態１の分解説明図である。
【図３】実施形態１の垂直断面図である。
【図４】他の実施形態の外観斜視図である。
【図５】カバー固定部材の全体斜視図である。
【図６】図５を裏側方向からみた図である。
【図７】図５のＡ−Ａ断面図である。
【図８】図６のＢ−Ｂ断面図である。
【図９】実施形態２の外観斜視図である。
【図１０】実施形態３の外観斜視図である。
【図１１】他の実施形態の垂直断面図である。
【発明を実施するための形態】
【００１９】
以下に本発明の好ましい実施形態を示す。
【００２０】
（実施形態１）
図１や図１１に示すように、分電盤内で、主幹ブレーカ１は、内部機器取付部である基板２やレール２９上に配置されている。図２に示すように、主幹ブレーカ１には、母線バー３が接続されている。母線バー３の一端は、主幹ブレーカ１の端子部４に、他端はバーホルダ５に保持され、基板２やレール２９と平行に配置されている。
【００２１】
図２、図３に示すように、端子部４とバーホルダ５間に形成される空間は、分電盤の扉３０と略平行に配置された正面カバー６と、分電盤の扉３０と略垂直に配置された２枚の側面カバー７と、バーホルダ５の外側を覆うように配置された底面カバー１２により、分電盤内の他の空間と隔てられている。当該構造により、作業者が母線バー２に触れたり、異物が侵入する事故を回避することができる。
【００２２】
前記各カバー６、７、１２は、何れも四角形状を有する絶縁材の平板からなり、角部にネジ孔２０が形成されている。その他、図４に示すように、正面カバー６に、検電用の検電孔２１を形成したり、側面カバー７に放熱孔２２を形成することもできる。
【００２３】
正面カバー６は、従来同様、正面カバー６を、バーホルダ５と主幹ブレーカ１の端子部４の上に渡すように載置した上で、正面カバー６に形成されたネジ孔と、前記バーホルダと端子部の上端に各々形成されたネジ孔を位置合わせしてネジ８で固定されている。
【００２４】
側面カバー７と底面カバー１２は、正面カバー６下面の四隅に、断面略く字状の立体からなるカバー固定部材９をネジ１０で固定した上で、このカバー固定部材９に、直接、ネジ１１、１３で固定されている。また、カバー固定部材９は、保護したい面に応じて、正面カバー６の下面の四隅に対して、選択可能に固定することができる。
【００２５】
図２、図５〜図７に示すように、カバー固定部材９は、断面略く字状の立体からなり、正面カバー６を、基板２と平行に取付け可能な第一固定面１４と、側面カバー７を、正面カバー６に対して略垂直に取付け可能な第二固定面１５と、底面カバー１２を、正面カバー６および側面カバー７の双方に対して略垂直に取付け可能な第三固定面１６を有し、第一固定面１４の端辺より略垂直方向に第二固定面１５が形成され、さらに、第一固定面１４及び第二固定面１５の左右端部より略垂直方向に第三固定面１６が形成されている。各固定面には、各々、ネジ孔１７、１８、１９が形成されている。ネジ１１、１３止め作業は、側面カバー７あるいは底面カバー１２の外側から行われる。当該構造によれば、正面カバー６と、側面カバー７と、底面カバー１２を、適宜必要に応じて、各々別箇に、簡単に脱着させることができる。また、第三固定面１６は底面カバー１２を、正面カバー６および側面カバー７の双方に対して略垂直に取付け可能であれば、断面略く字状の形状に限定することはない。カバー固定部材９は、断面略く字の折れ曲がり辺を基準に対称形状をしている。よって、第一固定面１４と第二固定面１５は互換性を有する。
【００２６】
図７に示すように、第一固定面１４のネジ孔１７と、第二固定面１５のネジ孔１８の裏側には、薄肉の隔壁部２３、２４が形成されている。このように、ネジ孔１７、１８の裏側に隔壁を形成することにより、これらのネジ孔１７、１８に挿入されたネジ１０、１１と母線バー３間での短絡の発生を回避することができる。また、隔壁部２３を薄肉とすることにより、ネジの貫通が容易になり、後述する実施形態２のように、第一固定面１４を基板２に直接取り付けて使用する場合等にも、簡単に取り付け作業を行うことができる。
【００２７】
図８に示すように、第三固定面１６のネジ孔１９間にも、短絡防止用の隔壁部２５が形成されている。
【００２８】
なお、カバー固定部材９の材質や成形方法は特に限定されず、樹脂の金型成形や、金属の折り曲げ成形等により作製されたものを使用することができる。
【００２９】
（実施形態２）
上記実施形態１では、カバー固定部材９を、正面カバー６下面の四隅に固定して、このカバー固定部材９に側面カバー７を固定したが、カバー固定部材９は、図９に示すように、分電盤内の基板２上に直接固定することもできる。
【００３０】
図７に示したように、第一固定面１４の裏側は、薄肉の隔壁部２３となっているため、本実施形態では、第一固定面１４の表側を基板２上に向けて載置した上で、隔壁２３からネジ孔１７に向かう方向に、ネジ２６を貫通させて固定している。このように、隔壁２３からネジ孔１７に向かう方向に、ネジ２６を貫通させて使用するに際し、ネジ孔１７の位置を裏側からも識別容易とするために、第一固定面１４の裏側には、凹部２７を形成しておくことが好ましい。
【００３１】
本実施形態によれば、前記のように第一固定面１４を基板２上に固定し、さらに第二固定面１５に側面カバー７を固定することにより分電盤の既設の内部機器に、導電部保護カバーを固定する部材が無い場合でも、新規に導電部保護カバーの固定専用の部材を使用する必要が無い。さらに、その側面カバー７にカバー固定部材９を固定させて、カバー固定部材９を介して実施形態１のように導電部保護カバーを連結させることができる。また、カバー固定部９を固定するのは基板２上に限定されず、レール上やその他内部機器取付部も可能である。
【００３２】
（実施形態３）
図１０に示すように、カバー固定部材９を、母線バー３上に固定することもできる。
【００３３】
本実施形態では、第一固定面１４の表側を母線バー３上に向けて載置した上で、母線バー３上に形成された孔部２８と第一固定面１４のネジ孔１７とを位置合わせして、隔壁２３からネジ孔１７に向かう方向に、ネジ２６を貫通させて固定している。
前記のように第一固定面１４を母線バー３に固定し、さらに第二固定面１５に側面カバー７を固定することにより、分電盤の既設の内部機器に、導電部保護カバーを固定する部材が無い場合でも、新規に導電部保護カバーの固定専用の部材を使用する必要が無い。さらに、図示はしないが、その側面カバー７にカバー固定部材９を追加し、固定させて、カバー固定部材９を介して実施形態１のように導電部保護カバーを連結させることができる。
【００３４】
本実施形態によれば、図１０に示すように、母線バー３間に側面カバー７を配置して、母線バー間の絶縁距離を確保することもできる。
【００３５】
上記実施形態では、何れも、「分電盤内の導電部」が、主幹ブレーカ１に接続した母線バー３である実施形態を示したが、本発明は、主幹ブレーカ１に接続した母線バー３に限定されず、分電盤内のあらゆる導電部を保護する構造として適用することができる。
【符号の説明】
【００３６】
１  主幹ブレーカ
２  基板
３  母線バー
４  端子部
５  バーホルダ
６  正面カバー
７  側面カバー
８  ネジ
９  カバー固定部材
１０  ネジ
１１  ネジ
１２  底面カバー
１３  ネジ
１４  第一固定面
１５  第二固定面
１６  第三固定面
１７、１８、１９  ネジ孔
２０  ネジ孔
２１  検電孔
２２  放熱孔
２３、２４、２５  隔壁部
２６  ネジ
２７  凹部
２８  孔部
２９  レール
３０  扉
【図１】
2014155394.tif 000003
【図２】
2014155394.tif 000004
【図３】
2014155394.tif 000005
【図４】
2014155394.tif 000006
【図５】
2014155394.tif 000007
【図６】
2014155394.tif 000008
【図７】
2014155394.tif 000009
【図８】
2014155394.tif 000010
【図９】
2014155394.tif 000011
【図１０】
2014155394.tif 000012
【図１１】
2014155394.tif 000013